(57)【要約】【課題】ＰＴＰを保持するケースであって、ＰＴＰをケースにセットする際に、ＰＴＰ自体の折れや、封止シート材の破れが発生することのないものを提供する。【解決手段】平坦な基板２に形成したドーム３内の空間に薬剤を保持し、封止シートでドーム３を閉じてなるＰＴＰを保持するケース。本発明の保持ケースは、ドーム３を挿通させる開口１１を備えた上壁部材１０と、当該上壁部材に連設されるとともに上記開口に対応する位置に取出開口を形成する破断線２１を有する下壁部材２０とを備える。ＰＴＰは、上壁部材の開口１１にドーム３を通した状態で、上壁部材１０と下壁部材２０との間に保持される。上壁部材１０と下壁部材２０が、それぞれに形成したスリット２５ａ、２５ｂと差込片１５ａ、１５ｂの係合によって係止される。ＰＴＰをケースにセットする際に、ＰＴＰ自体を湾曲させる必要がないので、ＰＴＰの折れや破損を防止できる。【選択図】図１
2012066836.tif 000002
【特許請求の範囲】
【請求項１】
平坦な基板（２）に形成したドーム（３）内の空間に薬剤を保持し、封止シートでドーム（３）を閉じてなるＰＴＰ（１）を保持するケースであって、
当該ケースは、上記ドーム（３）を挿通させる開口（１１）を備えた上壁部材（１０）と、当該上壁部材に連設されるとともに上記開口に対応する位置に取出開口を形成する破断線（２１）を有する下壁部材（２０）と、を備え、
ＰＴＰ（１）は、上壁部材の開口（１１）にドーム（３）を通した状態で、上壁部材（１０）と下壁部材（２０）との間に保持され、
上壁部材（１０）と下壁部材（２０）が、それぞれに形成したスリット（２５ａ、２５ｂ）と差込片（１５ａ、１５ｂ）の係合によって係止されている、ＰＴＰ保持ケース。
【請求項２】
上記上壁部材（１０）は、開口（１１）の近傍領域（３ａ）に、薬剤の服用に関するチェック欄を備える、請求項１記載のＰＴＰ保持ケース。
【請求項３】
上記下壁部材（２０）を外側から覆う下壁保護部材（６０）をさらに備える、請求項１または２記載のＰＴＰ保持ケース。
【請求項４】
上記下壁部材（２０）に、上壁部材（１０）とは反対側に、上壁部材を外側から覆う上壁保護部材（５０）が連設されていて、
当該上壁保護部材（５０）に、下壁部材（２０）とは反対側に、上記下壁保護部材（６０）が連設されている、請求項３記載のＰＴＰ保持ケース。
【請求項５】
上記下壁部材（２０）と上壁保護部材（５０）の間、および上壁保護部材（５０）と下壁保護部材（６０）の間に、それぞれ、ＰＴＰ（１）のドーム（３）の高さとほぼ等しい幅寸法（Ｗ）を有する襠（３０、４０）を備える、請求項１〜４のいずれか１つに記載のＰＴＰ保持ケース。
【発明の詳細な説明】
【技術分野】
【０００１】
本発明は、服薬コンプライアンス対応パッケージに関する。
【背景技術】
【０００２】
服用医薬において所望の効果を得るには、服薬コンプライアンスを遵守すること、すなわち、用法、用量を正しく守ることが必要である。特に、服用回数や服用量が変則的な医薬品では、コンプライアンスを遵守することが難しくなる。
そのため、服用者（患者）に対してこれをサポートするため、ＰＴＰ（Press Through Pack）を保持する包装体であって、各錠剤の近辺に服用日時、服用量等を表示したものが種々提案されている。
【０００３】
その中でも、特許文献１では、保持したＰＴＰから錠剤を取り出し易く工夫した包装ケースが開示されている。
なお、一般的にＰＴＰ（Press Through Pack）とは、透明なプラスチック材に形成したドーム状の凹部に錠剤を収容し、これをアルミ箔等の薄いシート材で封止してなるパッケージ形態であって、従来から良く知られたものである（図１参照）。錠剤を取り出す際には、透明プラスチック材のドーム状の頭を指で押圧し、シート材を押し破って、錠剤を取り出す。
【先行技術文献】
【特許文献】
【０００４】
【特許文献１】特開２００３−２３７８３６号公報
【発明の概要】
【発明が解決しようとする課題】
【０００５】
特許文献１に開示された包装ケースにおいては、ＰＴＰは、その基板の周縁部をケースに形成したスリットに差し込むことで、ケースにセットされる。すなわち、全体が矩形のＰＴＰ基板部の対向する２つの側辺、または４つのコーナ部を、ケース壁面に設けたスリットに差し込む必要があるので、その際に、ＰＴＰ自体を一時的に湾曲させることが必要となる。
このように、ＰＴＰを湾曲させることは、ＰＴＰのドームを閉じる封止シートが破れたり、ＰＴＰ上に形成した各錠剤を区画するミシン目部分でＰＴＰが折れることに繋がる。
本発明は、そのようなＰＴＰ自体の折れや、封止シートの破れが発生することのないＰＴＰ保持パッケージを提供することを目的とする。
【課題を解決するための手段】
【０００６】
本発明は、上記課題を有効に解決するために創案されたもので、以下の特徴を供えたＰＴＰ保持ケースを提供する。
【０００７】
本発明の保持ケースは、「平坦な基板に形成したドーム内の空間に薬剤を保持し、封止シートでドームを閉じてなるＰＴＰ」を保持する。
この保持ケースは、「上記ドームを挿通させる開口を備えた上壁部材」と「当該上壁部材に連設されるとともに上記開口に対応する位置に取出開口を形成する破断線を有する下壁部材」とを備える。
ＰＴＰは、上壁部材の開口にドームを通した状態で、上壁部材と下壁部材との間に保持される。上壁部材と下壁部材は、それぞれに形成したスリットと差込片の係合によって係止される。
【発明の効果】
【０００８】
上記構成を備えた本発明のＰＴＰ保持ケースによれば、ＰＴＰは、上壁部材と下壁部材の間に単に挟み込まれた状態で保持される（ＰＴＰの位置決めは、ドームが上壁部材の開口にドームを通すことで達成される）。
すなわち、ＰＴＰをケースにセットする際に、ＰＴＰ自体を湾曲させる必要がない。したがって、ＰＴＰ自体の折れや、ＰＴＰのドームを閉じる封止シートの破れ等が生じることはない。
【０００９】
また、本発明のＰＴＰ保持ケースは、下壁部材を外側から覆う下壁保護部材をさらに備えていてもよく、その場合には、次のようなメリットが得られる。すなわち、ケースに保持されたＰＴＰのドームが誤って押圧され、ドーム内の錠剤が下壁部材の破断線を押し破った場合でも、錠剤が外に排出されるのを防止できる。
【図面の簡単な説明】
【００１０】
【図１】本発明のケースに保持されるＰＴＰを説明する図。
【図２】本発明の一実施形態に係るＰＴＰ保持ケースを説明する図。
【図３】図２に対する変形例を説明する図。
【図４】図２のＰＴＰ保持ケースを、上壁部材と下壁部材の間にＰＴＰを挟み込んだ状態で示す図。
【図５】図４の状態から、ＰＴＰ保持ケースをさらに折り畳んでいく行程を説明する図。
【発明を実施するための形態】
【００１１】
本発明の実施形態を添付の図面を参照して以下に詳細に説明する。まず、本発明の保持ケースが対象とするＰＴＰ（Press Through Pack）について、図１を参照して説明する。
【００１２】
≪ＰＴＰ≫
プラスチック等でできた透明の基板２にドーム３が形成されていて、各ドーム３内の空間に錠剤あるいは薬剤等が収容される。そして、図中下方側から、アルミ箔等の封止シートでドーム３を閉じてパッケージとしている。
このような包装形態としてのＰＴＰ１は、従来から良く知られたものであって、錠剤を取り出す際には、ドーム３を指で押圧して封止シートを押し破り、錠剤を取り出す。
【００１３】
≪ＰＴＰを挟み込んで保持する構成≫
図２は、本発明の一実施形態に係るＰＴＰ保持ケースを開いた状態で示している。このケースにおいては、上壁部材１０と下壁部材２０とで、ＰＴＰを挟み込むようにして保持する。
上壁部材１０は、ＰＴＰのドーム３を挿通させる開口１１を備えている。
下壁部材２０は、折罫ａを介して上壁部材１０に連設されるとともに、開口１１に対応する位置に円形の破断線２１を有する。すなわち、上壁部材１０と下壁部材２０を折り畳んで重ねた時に、ドーム３と破断線２１が重なる。
錠剤を取り出す時、ドーム３を上から指で押圧すると、錠剤が破断線２１を押し破って外部に出る。
【００１４】
上壁部材１０の縁部には、円弧状に膨出する差込片１５ａ、１５ｂが形成されている。一方、下壁部材２０の折罫ａとは反対側の端部には、スリット２５ａ、２５ｂが形成されている。
ＰＴＰを下壁部材２０の上に置いて、ＰＴＰを上から覆うように上壁部材１０を重ねる（このとき、ドーム３が開口１１に挿通される）。そして、差込片１５ａ、１５ｂを、それぞれスリット２５ａ、２５ｂに通すことで、ＰＴＰは確実に保持される。この保持動作に際して、ＰＴＰには実質上外力が作用しないと言える（すなわち、ＰＴＰ自体をスリットに差し込む必要がないので、一時的にせよ、ＰＴＰ自体を湾曲させる必要がない）。したがって、ＰＴＰの折れや、封止シートの破れ等を招くことがない。
【００１５】
なお、上壁部材１０および下壁部材２０に形成する差込片およびスリットの具体的な形状は図示したものに限られず、任意の形態を採用できる。
例えば、図３に示したように、上壁部材１０の２つのコーナ部１６ａ、１６ｂを差込片として利用し、これに対応するスリット２６ａ、２６ｂを下壁部材２０に形成してもよい。この場合、上壁部材１０に対して、特定の差込片をわざわざ形成する必要がないというメリットが得られる。
【００１６】
≪チェック欄≫
図４は、上壁部材１０と下壁部材２０でＰＴＰを挟み込んだ状態を示している。上壁部材１０において、ドーム３が突出する開口１１の近傍領域（例えば、３ａで示した領域）に、薬剤の服用に関するチェック欄（図示せず）を設けてもよい。そのようなチェック欄は、すべてのドーム３に対して、それぞれ設けることが好ましい。
チェック欄は、例えば、「薬剤を服用すべき日時を印刷しておく」、「服用者が服用の有無をマークする領域を設ける」等、服用に関する情報を表示あるいは記入するための領域である。特に用法、用量が複雑な薬剤については、このようなチェック欄を設けることで、服用コンプライアンスの遵守をサポートすることができる。
【００１７】
上に説明した通り、ＰＴＰ自体の折れや、封止シートの破れを防止するという観点からは、互いに設けたスリットおよび差込片によって係合する上壁部材１０と下壁部材２０を含む構成であれば足りる。図示した実施形態においては、さらに幾つかの工夫を施している。
【００１８】
≪上壁保護部材５０および下壁保護部材６０≫
下壁部材２０に、所定幅Ｗの襠３０を介して、上壁保護部材５０を連設している。さらに、上壁保護部材５０に、同じく所定幅Ｗの襠４０を介して、下壁保護部材６０を連設している。
【００１９】
ＰＴＰを保持するよう折り重ねられた上壁部材１０および下壁部材２０は、図５中に矢印Ａ、Ｂで示した手順で、上壁保護部材５０および下壁保護部材６０に包まれるように折り畳まれ、差込片６１をスリット２８に差し込んで固定される。
このとき、下壁保護部材６０が、破断線２１を有する下壁部材２０を外側から覆って包み込むので、次のようなメリットをもたらす。すなわち、ドーム３を誤って押圧してしまった場合に、下壁保護部材６０が存在しなければ、ドーム内の錠剤が下壁部材２０の破断線２１を破って排出されてしまう。下壁保護部材６０を設けることで、ドーム３が誤って押圧された場合でも、不用意な錠剤の排出を防止できる。
【００２０】
なお、下壁保護部材６０の具体的な形態は、図示したものに限られない。下壁部材２０を外側から覆うことで、錠剤が破断線２１を押し破った場合でも、当該錠剤が外部に排出されないようにできれば、適宜の形態を採用することができる。
【００２１】
上壁保護部材５０は、下壁部材２０と下壁保護部材６０との間に位置するもので、上壁部材１０を外側から覆って包み込むことで、ドーム３を保護し、誤ってドーム３が押圧されることを防ぐ。
また、上壁保護部材５０の上端には、半円形の吊下フラップ５１が連設されていて、そこには吊下孔５２が設けられている。
【００２２】
上壁保護部材５０および下壁保護部材６０を設けることで、上に説明したメリットの他にも、両部材５０、６０の面積を利用して、服薬コンプライアンスに関する情報を表示したり、服用者による何らかの書込み領域として使用できるというメリットも付加される。
【００２３】
≪襠３０、４０の作用≫
上に説明したように、下壁部材２０と上壁保護部材５０の間、および上壁保護部材５０と下壁保護部材６０の間には、それぞれ、実質上同じ幅Ｗを有する襠３０、４０を配置している。幅Ｗは、ドーム３の高さにほぼ等しく設定している。
襠３０、４０が存在しない場合には、ＰＴＰが上壁保護部材５０と下壁保護部材６０との間に圧接され、特にドーム３の頭部に接触する上壁保護部材５０に湾曲や折れが生じ、その結果、表示が読みにくくなる等の不都合が生じうる。襠３０、４０を設けることで、これを有効に回避できる。
【００２４】
≪その他≫
本発明のＰＴＰ保持ケースの具体的な構成は、図示の例に限定されるものではない。例えば、図２において、上壁部材１０と下壁部材２０の配置を左右逆にしてもよく、その場合は、下壁部材２０に差込片を設け、上壁部材１０にスリットを設けることとなる。
【符号の説明】
【００２５】
１  ＰＴＰ
２  基板
３  ドーム
１０  上壁部材
１１  開口
１５ａ、１５ｂ  差込片
１６ａ、１６ｂ  コーナ部（差込片として利用される）
２０  下壁部材
２１  破断線
２５ａ、２５ｂ  スリット
２６ａ、２６ｂ  スリット
２８  スリット
３０、４０  襠
５０  上壁保護部材
５１  吊下フラップ
５２  吊下孔
６０  下壁保護部材
６１  差込片
【図１】
2012066836.tif 000003
【図２】
2012066836.tif 000004
【図３】
2012066836.tif 000005
【図４】
2012066836.tif 000006
【図５】
2012066836.tif 000007